(57)【要約】【課題】  狭い住空間で、ゆとりがなく書斎を設置することが困難な住宅において、他の居住空間を犠牲にすることなく、書斎用スペース確保が可能で、しかも快適で利便性が高く、機能的にも優れた書斎を安価に提供することを課題とする。【解決手段】  上部ボックスと該上部ボックスに連接して下部に設けられている下部ボックスとからボックスユニットが構成されており、前記上部ボックスには、床パネル、座卓、収納箱、戸板が設けられ、前記下部ボックスには床下収納庫、炉が設けられ、前記床パネルでボックスユニットの上部ボックスと下部ボックス間が仕切られていることを特徴とするユニット式書斎。【選択図】        図３
2007314972.tif 000002
【特許請求の範囲】
【請求項１】
上部ボックスと該上部ボックスに連接して下部に設けられている下部ボックスとからボックスユニットが構成されており、前記上部ボックスには、床パネル、座卓、収納箱、戸板が設けられ、前記下部ボックスには床下収納庫、炉が設けられ、前記床パネルでボックスユニットの上部ボックスと下部ボックス間が仕切られていることを特徴とするユニット式書斎。
【請求項２】
前記ボックスユニットの上下両ボックス間を仕切る床パネル内に電話線、テレビアンテナケーブル、屋内配線コードが組み込まれていることを特徴とする請求項１に記載のユニット式書斎。
【請求項３】
前記戸板に換気機構が設けられていることを特徴とする請求項１又は請求項２のいずれかに記載のユニット式書斎。
【発明の詳細な説明】
【技術分野】
【０００１】
本発明は住宅における書斎に関する。
【背景技術】
【０００２】
従来、住宅において、書斎を設けることへの要望は大きく、需要そのものは昔から多い分野であっった。そこで、吹き抜け空間を有する住宅において、前記吹き抜け空間の一側面に開放感のある書斎を設け、共用空間とのつながりを重視した書斎の発明がある。（例えば、特許文献１参照）。
【０００３】
【特許文献１】特開２００１−１３２２４６号公報（第１−４頁、第１、２図）。
【発明の開示】
【発明が解決しようとする課題】
【０００４】
ところが、欧米に比べて日本における住宅事情の貧困さを考えると、書斎が欲しくても持つことのできる人は余裕のあるごく少数の人に限られていた。狭い建坪の住宅のなかで、いかにして書斎を確保するかという点が大きな課題であった。しかしながら、現実を考えるとあきらめざるを得ないのが実情であった。
【０００５】
また、上記特開２００１−１３２２４６号公報に記載の書斎においては、日本の狭く貧困な住宅事情を考えると、よほどゆとりのある人でないと現実問題として実現性に乏しいものであった。
【０００６】
本発明は上述した事情に鑑みてなされたもので、本発明の目的は、狭い住空間で、ゆとりがなく、書斎を設置することが困難な住宅において、他の居住空間を犠牲にすることなく、書斎用スペース確保が可能で、しかも快適で利便性が高く、機能的にも優れた書斎を安価に提供することにある。
【課題を解決するための手段】
【０００７】
上記課題を解決するためになされた請求項１に記載のユニット式書斎は、上部ボックスと該上部ボックスに連接して下部に設けられている下部ボックスとからボックスユニットが構成されており、前記上部ボックスには、床パネル、座卓、収納箱、戸板が設けられ、前記下部ボックスには床下収納庫、炉が設けられ、前記床パネルでボックスユニットの上部ボックスと下部ボックス間が仕切られていることを特徴としている。
【０００８】
このような構成を有する本発明によれば、ボックスユニットが上部ボックスと該上部ボックスに連接して下部に設けられている下部ボックスで構成されており、ボックスユニットの上部ボックスと下部ボックス間が床パネルで仕切られているので、下部ボックスを分離すると、上部ボックスのみの高さ寸法がかなり小さくなる。従って、例えば、上部ボックスのみを階段下の比較的小さなスペースに使用することも可能である。また、上下ボックスを連接して設置する場合であっても、下部ボックスは１階の床下空間に設置することが可能で、狭い住空間で、ゆとりがなく、書斎を設置することが困難な住宅においても、他の居住空間を犠牲にすることなく、書斎用スペース確保が可能となる。
【０００９】
また、前記上部ボックスには、床パネルの他、座卓、収納箱、戸板が設けられ、前記下部ボックスには床下収納庫、炉が設けられているので、快適で利便性が高く、機能的にも優れた書斎空間が確保できる。
【００１０】
請求項２に記載の本発明のユニット式書斎は、請求項１に記載のユニット式書斎において、前記ボックスユニットの上下両ボックス間を仕切る床パネル内に電話線、テレビアンテナケーブル、屋内配線コードが組み込まれていることを特徴としている。
【００１１】
このような構成を有する本発明によれば、前記上下両ボックス間を仕切る床パネル内に電話線、テレビアンテナケーブル、屋内配線コードが組み込まれているので、電話器や、テレビ、パソコン、照明器具、電気式冷暖房機器、その他の電子電気機器等を使用する場合において極めて利便性が高く、機能的な書斎空間が可能となる。
【００１２】
請求項３に記載の本発明のユニット式書斎は、請求項１又は請求項２のいずれかに記載のユニット式書斎において、前記戸板に換気機構が設けられていることを特徴としている。
【００１３】
このような構成を有する本発明によれば、前記戸板に換気機構が設けられているので、狭い書斎空間に長時間居ても換気機能が十分に働くので快適に過ごせる。
【発明の効果】
【００１４】
請求項１の発明によれば、ボックスユニットが上部ボックスと該上部ボックスに連接して下部に設けられている下部ボックスで構成されており、ボックスユニットの上部ボックスと下部ボックス間が床パネルで仕切られているので、下部ボックスを分離すると、上部ボックスのみの高さ寸法がかなり小さくなる。従って、例えば、上部ボックスのみを階段下の比較的小さなスペースに使用することも可能である。また、上下ボックスを連接して設置する場合であっても、下部ボックスは１階の床下空間に設置することが可能で、狭い住空間で、ゆとりがなく、書斎を設置することが困難な住宅においても、他の居住空間を犠牲にすることなく、書斎用スペース確保が可能となる。
【００１５】
また、前記上部ボックスには、床パネルの他、座卓、収納箱、戸板が設けられ、前記下部ボックスには床下収納庫、炉が設けられているので、快適で利便性が高く、機能的にも優れた書斎空間が確保できる。
【００１６】
請求項２の発明によれば、前記ボックスユニットの上下両ボックス間を仕切る床パネル内に電話線、テレビアンテナケーブル、屋内配線コードが組み込まれているので、電話器や、テレビ、パソコン、照明器具、電気式冷暖房機器、その他の電子電気機器等を使用する場合において極めて利便性が高く、機能的な書斎空間が可能となる。
【００１７】
請求項３に記載の発明によれば、前記戸板に換気機構が設けられているので、狭い書斎空間に長時間居ても換気機能が十分に働くので快適に過ごせる。
【発明を実施するための最良の形態】
【００１８】
本発明の詳細を図面に従って説明する。図１は本発明のユニット式書斎の上部ボックス及び下部ボックスを接続して用いる第一実施形態のボックスユニット１の外観を示す斜視図である。図２は本発明のユニット式書斎の上部ボックス及び下部ボックスを接続して用いる第一実施形態のボックスユニットの、上下ボックスを接続した状態の側断面図である。図３は本発明のユニット式書斎の第一実施形態の内部を示し、（イ）はその側面図、（ロ）はその平面図で座卓より下方を示す。図４は本発明のユニット式書斎の上部ボックスのみを用いる他の実施形態の内部を示す側面図である。図５は本発明のユニット式書斎の床パネルを示し、（イ）は床パネル（大）の斜視図、（ロ）はそのＡ−Ａ線断面図、（ハ）はそのＢ−Ｂ線断面図を示し、（ニ）は床パネル（小）の斜視図を示す。図６は本発明のユニット式書斎の戸板を示し、（イ）は表側から見た斜視図、（ロ）は裏面側から見た斜視図である。図７は本発明のユニット式書斎を実際の住宅に組み込んだ設置例を示す説明図である。
【００１９】
図１、図２において、本発明のユニット式書斎の第一実施形態のボックスユニット１を示す。本発明のボックスユニット１の外殻構造は、上部ボックス２とそれに連接して下部に設けられる下部ボックス３で構成されている。上部ボックス２は六面体のうち底面となる一面のみ除去した五面で構成されている。すなわち、天面２ａ、正面２ｂ、右及び左の側面２ｃ、２ｄ、奥面２ｅの五面で構成されている。また、前記四側面（正面２ｂ、右側面２ｃ、左側面２ｄ、奥面２ｅ）の下端部周縁には水平方向に鍔部Ｔ１が形成されている。
【００２０】
本発明のユニット式書斎のボックスユニット１を構成する上部ボックス２、下部ボックス３は、例えば、ウレタン樹脂、アクリル樹脂、ポリエチレン樹脂、ＡＢＳ樹脂、ポリエステル樹脂等をブロー成型、その他の成型手段で成型して作製される。また、ＦＲＰ樹脂成型体等も好適なものとして例示できる。
【００２１】
また、下部ボックス３は六面体のうち天面となる一面のみ除去した五面で構成されている。すなわち、底面３ａ、正面３ｂ、左右側面３ｃ、３ｄ、奥面３ｅの五面で構成されている。また、前記四側面（正面３ｂ、右及び左の側面３ｃ、３ｄ、奥面３ｅ）の上端部周縁には鍔部Ｔ２が形成されており、前記鍔部Ｔ１とＴ２とは大きさと位置が略一致し、重ね合わせ状態で設置され、接合具Ｎでジョイントされる構成になっている。このようにして、上部ボックス２と下部ボックス３とは必要に応じて接合される。前記接合具Ｎは、例えば、ボルト、ナットの組み合わせ、リベット、タッピングネジ等を好適なものとして例示できる。しかし、これに限定されるものではない。
【００２２】
前記上部ボックス２の大きさは、一例として、本発明の第一実施形態のように上部ボックス２及び下部ボックス３を接続して用いる場合、上部ボックス２は床板Ｙよりも上方に設置され、下部ボックス３は床板Ｙよりも下方、すなわち床下に納まるように設置される。例えば、図７に示すように、住宅の階段下（本例では１４段上りきりの直階段の場合で示す）の空間スペースの有効利用として用いられる場合、上部ボックス２の寸法は、階段下に納まる寸法として、高さ寸法で約４尺（約１２００ｍｍ）程度、間口寸法で約５．５尺（約１６５０ｍｍ）程度、奥行き寸法で約３尺（約９００ｍｍ）程度が好適である。しかしこの大きさ寸法に限られるものではない。
【００２３】
また、下部ボックス３は床面より下方に納めることになるので、下部ボックス３の寸法は、高さ寸法で約２尺（約６００ｍｍ）程度とし、間口寸法と奥行き寸法は上部ボックス２に見合う寸法でよい。
【００２４】
また、上部ボックス２の正面２ｂに戸板Ｓが設けられている。本例では取手Ｓ１が設けられた片引き戸である。しかし、開閉式扉や折り戸であってもよい。しかし、引き戸の場合、開閉操作による戸板Ｓと他の障害物が接触するといった不都合が生じにくい。また、両引き戸、両開き戸でもよいが、間口約６尺弱の狭い空間ゆえ片引き戸や片開き戸の方が使い易い。従って、図１に示すような片引き戸が最も使い勝手がよい。
【００２５】
上部ボックス２の正面２ｂの外面に引き戸枠４が取り付けられており、本例の場合、向かって右側約半分が壁面となっており、左側約半分が開口部となっており、引き戸の戸板Ｓの開閉操作によって前記開口部が閉鎖されたり開放されたりする。前記戸板Ｓの開閉操作は右引き、左引き又は、開き戸の場合、右開き、左開きいずれでもよい。内部の設備等の配置と使い勝手によって適宜選定する。
【００２６】
また、図２に示すように、本例では、ボックスユニット１の下部ボックス３は、支持壁Ｗによって収納空間Ｕ２と足置き空間Ｕ３とに分割されている。また、上部ボックス２は、居住空間Ｕ１として主に利用される。また、図１に示すように、下部ボックス３にはコード取り出し用端子Ｃ３が設けられている。該コード取り出し用端子Ｃ３には、コード取り出し孔Ｈが設けられている。前記コード取り出し孔Ｈから外部へ取り出された各種コード類は住宅に始めから備わっているそれぞれの端子に接続される。すなわち、電源コードＬ１は屋内配線に接続され、電話ケーブルＬ２は住宅の壁面にある電話ケーブル接続端子に接続され、テレビアンテナケーブルＬ３は同様にして壁面にあるテレビアンテナの端子に接続されている。また、下部ボックス３を用いないで、上部ボックス２のみ使用する場合は、床パネル５から取り出された各種コ−ド類やケーブル類は床下へ一旦取り出してから、住宅に始めから備わっているそれぞれの端子に接続される。
【００２７】
また、図２に示すように、上部ボックス２の四側面（正面２ｂ、右側面２ｃ、左側面２ｄ、奥面２ｅ）の下部で前記鍔部Ｔ１の上部近傍に突出部Ｒが形成されている。また、支持壁Ｗの上端部にも突出部Ｒが設けられている。この突出部Ｒに床パネル５（図５参照）を載置する構成となっている。
【００２８】
図３において、本発明のユニット式書斎の第一実施形態における内部を説明する。前記上部ボックス２の側面の下部に形成されている鍔部Ｔ１の上部近傍に設けられている前記突出部Ｒ及び支持壁Ｗの上端部に設けられている前記突出部Ｒの上に床パネル（大）５ａが載置されている。該床パネル（大）５ａの中央部は蓋板Ｆ（図５参照）となっており、蓋板Ｆにある取手を持ち上げると蓋板Ｆが上方へ持ち上げられ前記収納空間Ｕ２が開放する仕組みとなっている。このようにして、前記蓋板Ｆを開放するとその下部に収納空間Ｕ２が現れ、床下収納庫ＹＳが設けられている。蓋板Ｆを元へ戻すと床板として機能する。
【００２９】
前記戸板Ｓを開けて本例では右方（使い勝手を考えて戸板を右側に設置した場合は戸板Ｓを開けて左方）に座卓６及び収納箱７が設けられている。座卓６は上部ボックス２の右側面２ｃに接続金具等（図示せず）を用いて固定されている。本例のように、座卓６を固定せず、上下方向に自在の位置で自由に固定できるようにすると使い勝手がさらによくなる。例えば、上部ボックス２の正面２ｂ、奥面２ｅに座卓受け桟（図示せず）を設け、例えば上、中、下の３段階の高さ調節ができるようにすると、使い勝手がさらによくなる。
【００３０】
前記座卓６の上部に天面２ａに達するか又はその近くまで、収納箱７が設けられている。該収納箱７の適宜位置に棚板７ａが取り付けられている。棚板７ａは、棚受けダボ（図示せず）を上下調節レール（図示せず）を用いて上下調節すれば、棚板７ａの高さ位置を上下に自由に変えることが可能となる。このように、上下方向に高さ位置が自在に変えられるようにすると、棚板７ａの上下方向の間隔が適宜調整できるので、使い勝手がさらによくなる。また、前記収納箱７を構成する部材は、合板、中比重繊維板等を芯材としたフラッシュパネル構造が軽量で寸法変化しにくく反りにも強く好適である。前記収納箱７の前面には必要に応じて扉を設けるとよい。また、天面２ａの内面には照明９が設けられている。市販の照明器具を適宜選定すればよい。
【００３１】
また、前記座卓６の下部は足置き空間Ｕ３となっている。床パネル（大）５ａに座り、足を前記足置き空間Ｕ３にいれて座ると、長時間座っていても足が痛くならなくて済む。また、前記足置き空間Ｕ３に炉８が設けられている。前記炉８は天面が開口したボックス形状の炉箱８ｃと、炉箱８ｃの下部に設置される、すのこ８ｂと、すのこ８ｂの下部に設けられるヒーター８ａとで構成されている。冬場は前記ヒーター８ａに電源を入れ暖房器具として重宝であり、夏場は電源を切るだけでよい。また、春秋の季節の変わり目においては、暖房をいれないと寒い日と暖房をいれなくても暑い日が交互にくるが、ヒーター８ａの電源ＯＮ、ＯＦＦのみの切り替えで簡単に対応できる。
【００３２】
前記座卓６は例えば、銘木からなる木材ムク、集成材等の表面にウレタン樹脂、ポリエステル樹脂等の透明樹脂塗料で塗装仕上げしたものが好適なものとして例示できる。これら以外に、合板、中比重繊維板、木削片板等を基材とし、表面に銘木の突板を化粧貼りしたものや、銘木以外に、メラミン樹脂化粧板等を張り合わせたものも好適なものとして例示できる。また、前記、すのこ８ｂは木材ムク、集成材、合板等からなるものが好適である。これ以外には、例えば、ウレタン樹脂等の耐熱性樹脂からなる合成樹脂成型体等が好適な材料として例示できる。前記ヒーター８ａは市販の暖房用遠赤外線ヒーターが好適である。
【００３３】
また、座卓６の下部の足置き空間Ｕ３を足置き用空間として利用せず、収納空間として利用してもよい。この場合は座卓６の下部の床開口部は床パネル（小）５ｂで閉じればよい。このとき床パネル（小）５ｂに取手を取り付けて開け閉めを簡単にできるようにしておくと便利である。この場合は、足を下方へ伸ばすことはできないが、収納スペースを大きくすることができるので大変便利である。また、収納空間が前記支持壁Ｗで仕切られているので、収納物の種類によって収納スペースを変えて収納することが可能となり、収納物の整理が大変便利で、使い勝手が向上する。
【００３４】
図４において、本発明のユニット式書斎の他の実施形態について説明する。この実施形態では、下部ユニット３は用いず、上部ユニット２のみを用いる。この場合、上部ユニット２の底面の開口部は床パネル（大）５ａ及び床パネル（小）５ｂを用いて完全に塞ぐようにする。前記床パネル（大）５ａ及び床パネル（小）５ｂのつなぎ目において、床板Ｙとの間に余分なスペースが高さ方向にある場合はスペーサーＳＰを前記つなぎ目と床板Ｙとの間に設置する必要がある。前記スペーサーＳＰは現場で採寸し合板、その他の材料の切れ端を用いて適宜作製すればよい。
【００３５】
戸板Ｓ、座卓６、収納箱７、照明９等は第一実施形態と同様である。下部ボックス３を設けるためのスペースに余裕がない場合に適する。かなりコンパクトになるので、住宅内のちょっとしたスペースや隙間、例えば、階段下のデッドスペース等に利用できる。特に２階建て住宅において、２階の床下には、６００ｍｍ以上の床下空間を設けることが困難な場合が多い。このような場合において、下部ボックス３を用いないで、２階の床板Ｙの上に上部ボックス２のみを用いることは利用価値がある。
【００３６】
図５において、本発明のユニット式書斎に用いる床パネル５について説明する。本発明の床パネル５は２種類あって、床パネル（大）５ａと床パネル（小）５ｂとである。前記床パネル（大）５ａは、図５の（イ）に示すように、上部ボックス２の底面を塞ぐためのものであり、床パネル（小）５ｂは前記座卓６の下方の開口部を塞ぐためのものである。
【００３７】
床パネル（大）５ａは、その外周囲を床枠Ｆ２で囲われ、内部の蓋板Ｆを取り外した際の内周部にも床枠Ｆ２が設けられている。内周部の床枠Ｆ２の内周辺縁に沿って、前記蓋板Ｆを支持する受け部Ｊが設けられている。
【００３８】
このようにして、床パネル（大）５ａの内部には、蓋枠Ｆ１で周囲を囲われた蓋板Ｆが設けられ、前記床枠Ｆ２の受け部Ｊで支持される構成とされている。前記床枠Ｆ２、蓋枠Ｆ１の中は床板Ｙが取り付けられている。
【００３９】
また、前記外周部の床枠Ｆ２、蓋枠Ｆ１は、断面形状でコの字型で、コの字型形状の内側面１面が開放しており、この開放部に前記床板Ｙの端部が差し込まれる構成となっている。また、内周部床枠Ｆ２は断面形状でコの字型に加えて前記受け部Ｊが設けられた断面形状とされている。また、それらの材質は、例えばアルミ、ステンレス等の成型体等が好適なものとして例示できる。
【００４０】
また、前記床パネル（大）５ａの所定位置にはコンセントＣ１、ケーブル用端子Ｃ２が取り付けられている。前記コンセントＣ１は床板Ｙの内部に配線された電源コードＬ１を通して屋内配線に接続されている。また、前記ケーブル用端子Ｃ２は床板Ｙの内部に配線された電話ケーブルＬ２、テレビアンテナケーブルＬ３を通して、住宅内の壁面に設けられている電話ケーブル端子やテレビアンテナ端子（図示せず）に接続されている。
【００４１】
また、本発明の前記床パネル（大）５ａの断面構造は、図５の（ロ）、（ハ）に示すように、三層構造となっており、上から、床仕上げ板Ｙ１、コードパネルＰ、床下地板Ｙ２の順に積層接着されている。前記床仕上げ板Ｙ１は例えば、銘木の集成材の表面にウレタン樹脂、ポリエステル樹脂、アクリル樹脂等の透明樹脂塗装仕上げした床材、又は、合板、中比重繊維板、木削片板等を基材とし、表面に天然銘木突板、塩ビ化粧シート、化粧紙等の化粧材を貼着し、表面にウレタン樹脂、ポリエステル樹脂、アクリル樹脂等の透明樹脂塗装仕上げした床材が好適なものとして例示できる。
【００４２】
また、各種コード類を配線する中間層としてのコードパネルＰは上下を例えば厚み約０．５〜３．０ｍｍ程度のアルミ、ステンレス、鋼板等を、所定間隔（約３〜７ｍｍ程度）あけて２枚配設し、その間の空間にコードパイプＣＰを配設する。前記コードパイプＣＰは１例として、断面視、外形で正方形又は長方形で、内部に円形で直径方向の内径で約１ｍｍ〜５ｍｍ程度の孔が設けられているものが好適である。材質はアルミ、ステンレス、鋼板等が好適である。
【００４３】
図５の（ニ）において、本発明の床パネル（小）５ｂについて説明する。床パネル（小）５ｂは座卓６の下部の開口部を塞ぐ必要が生じた際に使用する。例えば、下部ボックス３を用いずに上部ボックス２のみを使用する際に座卓６の下部の開口部を塞ぐ必要がある。また、座卓６の下部の開口部を収納用の空間として利用する際、前記床パネル（小）５ｂに取手（図示せず）を取り付け、蓋板として用いることもできる。
【００４４】
前記床パネル（小）５ｂはその周囲を床枠Ｆ２で囲われており、床枠Ｆ２内に床板Ｙが敷き詰められている。前記床板Ｙは例えば、前記床仕上げ板Ｙ１と同様のものでよい。色柄を合わす方が書斎空間の意匠性が向上する。また、前記床枠Ｆ２は断面形状でコの字型で、例えばアルミ、ステンレス等の成型体等が好適なものとして例示できる。コの字型形状の内側面１面が開放しており、この開放部に前記床板Ｙの端部が差し込まれる構成となっている。
【００４５】
図６において、本発明の戸板Ｓについて説明する。（イ）は戸板Ｓを正面（ユニット式書斎の外部面）から見たところを示し、（ロ）は戸板Ｓを裏面（ユニット式書斎の内部面）から見たところを示す。戸板Ｓは戸板枠で周囲を囲まれ内部に戸板パネルＤが設けられた構成を有している。左右縦枠Ｓ２、上枠Ｓ２、下枠Ｓ２で周囲を囲われ、その内部に戸板パネルＤが設けられている。前記左右縦枠Ｓ２、上枠Ｓ２、下枠Ｓ２は、例えば合板、集成材、平行合板等の木質材料で構成されている。
【００４６】
また、前記戸板パネルＤは合板、中比重繊維板等を芯材として表面に化粧材を貼着したフラッシュ構造のものが、軽量で、しかも、反りやネジレ等にも強く好適である。しかし、前記フラッシュ構造のもの以外に密実構造のものでもよいものとする。また、前記戸板枠や戸板パネルＤは木質材料以外に、硬質のウレタン樹脂、アクリル樹脂、塩ビ樹脂等の成型体等であってもよいものとする。
【００４７】
また、本発明の戸板Ｓには、換気機構Ｋが設けられている。換気機構Ｋは戸板Ｓの正面（ユニット式書斎の外部面）に取り付けられている換気孔Ｋ１とその対向する位置の戸板Ｓの裏面（ユニット式書斎の内部面）に取り付けられている換気扇Ｋ２とから構成されている。本例では、前記換気孔Ｋ１及び換気扇Ｋ２は戸板Ｓの上部と下部の２箇所に設けられている。戸板Ｓに取り付ける位置及び取り付ける個数は適宜決定すればよい。また戸板Ｓの表面及び裏面に取手Ｓ１が取り付けられている。
【００４８】
図７において、本発明のユニット式書斎の住宅内での設置例を示す。住宅の１階部分に設置する場合は上部ボックス２を床部分より上に設置し、その下方（床下）に下部ボックス３を設置する。２階に設置する場合は上部ボックス２のみを用い下部ボックス３は用いない。また、住宅内の階段ＫＴの下部などのデッドスペースが設置場所の一例として好適である。階段下以外のスペースに設置しても勿論よいものとする。本例では直階段で１４段上りきりの階段を例示したが、この型以外の階段であっても、勿論よいものとする。
【図面の簡単な説明】
【００４９】
【図１】本発明のユニット式書斎の第一実施形態のボックスユニットの外観を示す斜視図。
【図２】本発明のユニット式書斎の第一実施形態のボックスユニットの上下ボックスの接続状態を示す側断面図。
【図３】本発明のユニット式書斎の第一実施形態の内部を示す。（イ）側面図。（ロ）座卓より下方を示す平面図。
【図４】本発明のユニット式書斎の他の実施形態の内部を示す側面図。
【図５】本発明のユニット式書斎の床パネルを示す。（イ）床パネル（大）の斜視図。（ロ）Ａ−Ａ線断面図。（ハ）Ｂ−Ｂ線断面図。（ニ）床パネル（小）の斜視図。
【図６】本発明のユニット式書斎の戸板を示す。（イ）表側から見た斜視図。（ロ）裏面側から見た斜視図。
【図７】本発明のユニット式書斎を実際の住宅に組み込んだ設置例を示す説明図。
【符号の説明】
【００５０】
１      ボックスユニット
２      上部ボックス
２ａ    天面
２ｂ    正面
２ｃ    右側面
２ｄ    左側面
２ｅ    奥面
３      下部ボックス
３ａ    底面
３ｂ    正面
３ｃ    右側面
３ｄ    左側面
３ｅ    側面
４      引き戸枠
５      床パネル
５ａ    床パネル（大）
５ｂ    床パネル（小）
Ｆ      蓋板
Ｆ１    蓋枠
Ｆ２    床枠
Ｊ      受け部
Ｙ      床板
Ｙ１    床仕上げ板
Ｙ２    床下地板
ＹＳ    床下収納庫
Ｐ      コードパネル
ＣＰ    コードパイプ
Ｃ１    コンセント
Ｃ２    ケーブル用端子
Ｃ３    コード取り出し用端子
Ｈ      コード取り出し孔
Ｌ１    電源コード
Ｌ２    電話ケーブル
Ｌ３    テレビアンテナケーブル
６      座卓
７      収納箱
７ａ    棚板
８      炉
８ａ    ヒーター
８ｂ    すのこ
８ｃ    炉箱
９      照明
ＫＴ    階段
Ｕ１    居住空間
Ｕ２    収納空間
Ｕ３    足置き空間
ＳＰ    スペーサー
Ｔ１    鍔部
Ｔ２    鍔部
Ｎ      接合具
Ｒ      突出部
Ｗ      支持壁
Ｓ      戸板
Ｓ１    取手
Ｓ２    縦枠
Ｓ２    上枠
Ｓ２    下枠
Ｄ      戸板パネル
Ｋ      換気機構
Ｋ１    換気孔
Ｋ２    換気扇
【図１】
2007314972.tif 000003
【図２】
2007314972.tif 000004
【図３】
2007314972.tif 000005
【図４】
2007314972.tif 000006
【図５】
2007314972.tif 000007
【図６】
2007314972.tif 000008
【図７】
2007314972.tif 000009